(57)【要約】【課題】容器蓋を変形させることなく、固定リングのみを容易に取り外すことができる。【解決手段】取外し冶具１は、冶具本体１０の一端１０ａに位置するとともに、容器蓋３の天面に当接する支持部１１と、冶具本体１０の他端側に位置する取手部１３と、支持部１１と取手部１３との間で下方に向けて突出した突出部材１４の先端に位置するとともに、支持部１１を天面に当接させた状態のときに蓋固定リング４の裾部下端面４ｂに係止する爪部１２とを備えている。蓋固定リング４を容器蓋３から取り外す際に、天面に当接させた支持部１１を支点として取手部１３を引き上げることで、爪部１２とともに裾部下端面４ｂを持ち上げるようにした。【選択図】図１
2008150105.tif 000002
【特許請求の範囲】
【請求項１】
容器蓋の周面に固定された蓋固定リングを取り外すための蓋固定リングの取外し冶具であって、
冶具本体の一端に位置するとともに、前記容器蓋の天面に当接する支持部と、
前記冶具本体の他端側に位置する取手部と、
前記支持部と前記取手部との間で下方に向けて突出した突出部材の先端に位置するとともに、前記支持部を前記天面に当接させた状態のときに前記蓋固定リングの裾部下端面に係止する爪部と、
を備え、
前記蓋固定リングを前記容器蓋から取り外す際に、前記天面に当接させた前記支持部を支点として前記取手部を引き上げることで、前記爪部とともに前記裾部下端面を持ち上げるようにしたことを特徴とする蓋固定リングの取外し冶具。
【請求項２】
容器蓋の周面に固定された蓋固定リングを取り外すための蓋固定リングの取外し冶具であって、
前記冶具本体の一端に位置するとともに、前記容器蓋の天面に当接する支持部と、
前記冶具本体の他端側に位置する取手部と、
側面視で前記支持部と前記取手部との間の前記冶具本体が略凹状に湾曲してなり、その湾曲した底部に位置するとともに、前記支持部を前記天面に当接させた状態のときに、前記蓋固定リングの裾部下端面に係止する爪部と、
を備え、
前記蓋固定リングを前記容器蓋から取り外す際に、前記天面に当接させた前記支持部を支点として前記取手部を引き上げることで、前記爪部とともに前記裾部下端面を持ち上げるようにしたことを特徴とする蓋固定リングの取外し冶具。
【請求項３】
前記爪部の形状は、前記容器に形成される凹陥部の形状に沿って湾曲されていることを特徴とする請求項１又は２に記載の蓋固定リングの取外し冶具。
【請求項４】
前記支持部は、弾性を有する材料から形成されていることを特徴とする請求項１乃至３のいずれかに記載の蓋固定リングの取外し冶具。
【発明の詳細な説明】
【技術分野】
【０００１】
本発明は、１８リットル缶などの容器蓋を固定する蓋固定リングを取り外すための蓋固定リングの取外し冶具に関する。
【背景技術】
【０００２】
塗料や接着剤等の液状の化学製品の容器として、１８リットル缶が広く用いられている。１８リットル缶は、業界では石油缶、５ガロン缶などとも呼ばれている。１８リットル缶の蓋には様々な種類があるが、密閉性に優れ、繰り返し使用でき、開閉が容易であることから、ローヤルと呼ばれる蓋が広く用いられている。この蓋は、容器の天面に形成される凹陥部の底面から上方に向けて口金が突設され、その口金に容器蓋が着脱可能に嵌合されている。この蓋は１８リットル缶に限らず、少量から大容量までの様々な容器にも用いられている。
容器蓋として、例えば押し蓋が広く用いられている。この押し蓋は、その天面の中央部を押すと、口金の胴部を絞ってかしめた状態で係合している周縁裾部が外方に開いて開蓋する構造をなしている。このような構造をなす押し蓋には、開封前に誤って蓋の天面を押してしまったり、運搬中などの衝撃で蓋が外れないようにするために蓋固定リングが設けられている。蓋固定リングは、例えばブリキ製で容器蓋の肩部から周縁裾部にわたって覆うものであり、蓋固定リングの裾部を容器蓋側に絞ってかしめた状態で固定されている。そして、蓋固定リングを容器蓋から取り外す際には、適宜な冶具を用いるなどしてリングの一部を切り離すようにしている。
【０００３】
このような蓋固定リングを取り外すものとして、例えば蓋固定リングが固定された状態の容器蓋を開けることが可能な冶具が特許文献１に開示されている。
特許文献１は、棒状部材の先端部に先の尖った爪部を備えた蓋の開け具を使用し、缶容器の凹陥部と容器蓋の間で容器蓋の周縁部に開け具の爪部を差し込み、凹陥部周辺部を支点にして、てこの作用により開蓋するようにしたものである。
【特許文献１】特開２００１−２１８８号公報
【発明の開示】
【発明が解決しようとする課題】
【０００４】
しかしながら、特許文献１で示されている容器蓋の開け具では、蓋固定リングとともに容器蓋を取り外す場合、蓋が蓋固定リングによって覆われた状態で固定されていて容易に外れないようになっているため、容器蓋のみを開蓋する場合と比べて大きな開蓋力が必要となる。そのため、容器蓋の裾部の一部に前記大きな開蓋力がかかることになり、容器蓋が変形してしまうといった問題があった。さらに、空け具は、その爪部で容器蓋の裾部を引っ掛け、てこの作用によって凹陥部周辺部を支点とし、容器蓋に無理な力をかけてこじ開ける方法であることから、容器蓋を変形させるおそれがあった。
【０００５】
本発明は、このような問題に鑑みてなされたもので、容器蓋を変形させることなく、固定リングのみを容易に取り外すことができる蓋固定リングの取外し冶具を提供することを目的とする。
【課題を解決するための手段】
【０００６】
上記目的を達成するため、本発明に係る蓋固定リングの取外し冶具では、容器蓋の周面に固定された蓋固定リングを取り外すための蓋固定リングの取外し冶具であって、冶具本体の一端に位置するとともに、容器蓋の天面に当接する支持部と、冶具本体の他端側に位置する取手部と、支持部と取手部との間で下方に向けて突出した突出部材の先端に位置するとともに、支持部を天面に当接させた状態のときに蓋固定リングの裾部下端面に係止する爪部とを備え、蓋固定リングを容器蓋から取り外す際に、天面に当接させた支持部を支点として取手部を引き上げることで、爪部とともに裾部下端面を持ち上げるようにしたものである。
また、本発明に係る蓋固定リングの取外し冶具では、容器蓋の周面に固定された蓋固定リングを取り外すための蓋固定リングの取外し冶具であって、冶具本体の一端に位置するとともに、容器蓋の天面に当接する支持部と、冶具本体の他端側に位置する取手部と、側面視で支持部と取手部との間の冶具本体が略凹状に湾曲してなり、その湾曲した底部に位置するとともに、支持部を天面に当接させた状態のときに、蓋固定リングの裾部下端面に係止する爪部とを備え、蓋固定リングを容器蓋から取り外す際に、天面に当接させた支持部を支点として取手部を引き上げることで、爪部とともに裾部下端面を持ち上げるようにしたものである。
そのため、蓋固定リングを容器蓋から取り外す際に、爪部を蓋固定リングの裾部下端面に係止させるとともに、容器蓋の天面に支持部を載せた状態で当接させる。その後、支持部を支点にしながら取手部を回動させるようにして引き上げることにより、爪部も上方に移動する。これにより、爪部によって係止されていた裾部下端面の一部が爪部と共に持ち上げられ、蓋固定リングを蓋から引き剥がすようにして取り外すことができる。
【発明の効果】
【０００７】
本発明の蓋固定リングの取外し冶具によれば、蓋固定リングの裾部下端面に爪部を係止させた状態で、容器蓋の天面を支点にして、取手部を引き上げることで、爪部とともに裾部が持ち上げられ、容器蓋の周囲に沿って引き剥がすようにして蓋固定リングを蓋から取り外すことができる。しかも、容器蓋の周囲の容器部分を支点とし、てこの作用により開蓋する場合と比べて、爪部で無理にこじ開けることがないことから、容器蓋の変形を防ぐことができる。
【発明を実施するための最良の形態】
【０００８】
また、本発明に係る蓋固定リングの取外し冶具では、爪部の形状は、容器に形成される凹陥部の形状に沿って湾曲されていることが好ましい。
これにより、凹陥部に沿った形状で湾曲された爪部を、凹陥部と容器蓋の天面との間に挿入させることができることから、本取外し冶具を口金が凹陥部に設けられるような容器に対応させて使用することができる。
【０００９】
また、本発明に係る蓋固定リングの取外し冶具では、支持部は、弾性を有する材料から形成されていることが好ましい。
このような特徴により、支持部を支点にして冶具本体を引き上げるときにかかる天面への押し付け力を小さくすることができる。
【実施例】
【００１０】
以下、本発明の第一実施例による蓋固定リングの取外し冶具について、図１乃至図５に基づいて説明する。
図１は本発明の第一実施例による取外し冶具の全体を示す側面図、図２は同じく取外し冶具の全体を示す平面図、図３は爪部を示す図であって、（ａ）はその斜視図、（ｂ）はその平面図、（ｃ）はその側面図、図４は図１に示す取外し冶具の爪部の拡大図、図５は取外し冶具を使用して蓋固定リングを取り外す状態を示した図である。
【００１１】
本第一実施例による取外し冶具１は、例えば図１に示す１８リットル缶などの容器２の口金２２に固定された容器蓋３の誤開封を防止するための蓋固定リング４を取り外すための冶具である。
【００１２】
先ず、容器蓋３の取り付け部における容器２の構成、容器蓋３及び蓋固定リング４の構造について概略説明する。
容器２は、その上面２ａの所定位置に凹陥部２１が形成されている。そして、凹陥部２１の底面２１ａには、口金２２が設けられている。口金２２は、凹陥部２１の底面２１ａから上方に向けて突出し、その外周面の胴部２２ａに容器蓋３が嵌合される構成となっている。
【００１３】
本第一実施例では、この取外し冶具１を使用できる容器２の容器蓋３として、例えばブリキなどの材料からなり、口金２２に嵌合する周知の押し蓋などが使用できる。すなわち、容器蓋３は、天面３ａと、天面３ａの外周縁部から下方に延ばされて口金２２の胴部２２ａを側方から覆う蓋側面（図示省略）と、その蓋側面の下端に位置して外方から絞ってかしめられたカシメ部（図示省略）とからなる。つまり、容器蓋３が口金２２に嵌合している状態において、容器蓋３の天面３ａの略中央を押すと、前記カシメ部が外方に開いて口金２２から分離し、容器蓋３が外れるようになっている。
また、図１に示すように、蓋固定リング４は、容器蓋３の蓋側面から上部周縁部（肩部）にわったって覆われていて平面視でリング状に形成され、その裾部４ａが容器蓋３側に絞られた状態でかしめられている。
【００１４】
図１及び図２に示すように、取外し冶具１は、冶具本体１０の一端１０ａに位置して容器蓋３の天面３ａに当接される支持部１１と、冶具本体１０の他端側に位置する取手部１３と、支持部１１と取手部との間で下方に向けて突出した突出部材１４の先端に位置するとともに、支持部１１を容器蓋３の天面３ａに当接させた状態のときに蓋固定リング４の裾部下端面４ｂに係止する爪部１２とを備えている。
なお、以下の説明では、必要に応じて冶具本体１０の一端１０ａ側を「先端」とする。
【００１５】
冶具本体１０は、棒状をなし、例えばプラスチック製、鋼製、木製などの材料から形成されている。
支持部１１は、ゴムなどの弾性を有する材料から形成された凸状体をなし、冶具本体１０の先端下面１０ｃに固定されている。なお、詳しくは後述するが、この支持部１１は、蓋固定リング４を取り外す際に、下面１１ａを容器蓋３の天面３ａに当接させ、取手部１３を持って冶具本体１０を上方に引き上げるときの支点となる。
【００１６】
爪部１２は、冶具本体１０の軸線方向で略中央下面１０ｄから先端側へ斜め下方に向けて突出する突出部材１４の先端部１４ｂに一体に形成されている。突出部材１４は、容器２の上面２ａに対して冶具本体１０を略平行に配置した状態で凹陥部２１の傾斜面２１ｂ（図１参照）に沿った傾斜角度をなし、その基端部１４ａが例えばネジなどの固定手段（図示省略）によって冶具本体１０の中央下面１０ｄに固定されている。
なお、突出部材１４は、着脱可能とすることで、凹陥部２１の傾斜面２１ｂの角度に合わせた形状のものに交換して使用するようにしてもよい。
【００１７】
また、図３（ａ）、（ｃ）に示すように、爪部１２は、側面視して冶具本体１０の先端部側に向けて湾曲されるとともに、図３（ｂ）に示す平面視で口金２２、容器蓋３、或いは蓋固定リング４の外周面とほぼ同じ円弧面をなす曲面刃１２ａが形成されている。すなわち、前述したように、爪部１２は、支持部１１を容器蓋３の天面３ａに当接させた状態で、蓋固定リング４の裾部下端面４ｂに係止される構成となっている（図４参照）。
そして、取手部１３は、冶具本体１０において、突出部材１４の基端部１４ａから冶具本体１０の他端１０ｂまでの間の位置となる。なお、とくに図示しないが取手部１３は、手で握りやすい形状に形成されることが好ましい。
【００１８】
次に、このような構成の取外し冶具１の作用および取外し冶具１を使用して蓋固定リング４を取り外す方法について図面を用いて説明する。
図４及び図５に示すように、容器２の凹陥部２１と容器蓋３との間の凹陥部隙間Ｒに取外し冶具１の爪部１２を挿入させ、爪部１２の曲面刃１２ａを蓋固定リング４の裾部下端面４ｂに係止させるとともに、支持部１１の下面１１ａを容器蓋３の天面３ａに載せた状態で当接させる（図５に示す二点鎖線の状態）。
【００１９】
そして、図５に示すように、支持部１１を支点にしながら取手部１３を矢印Ｅ方向に回動させるようにして引き上げると、爪部１２も上方に移動する。そうすると、爪部１２によって係止されていた蓋固定リング４の裾部下端面４ｂの一部が爪部１２と共に持ち上げられ、蓋固定リング４を容器蓋３から引き剥がすようにして取り外すことができる。つまり、爪部１２が上方に移動することで、蓋固定リング４の裾部４ａに変形が生じ、さらに湾曲して持ち上がり、蓋固定リング４が容器蓋３から分離して外れることになる。
【００２０】
このように、凹陥部２１に沿った形状で湾曲された爪部１２を、凹陥部２１と容器蓋３の天面３ａとの間に挿入させることができることから、本取外し冶具１を口金２２が凹陥部２１に設けられるような容器に対応させて使用することができる。
また、支持部１１が弾性を有する材料であるため、支持部１１を支点にして冶具本体１０を回転させるようにして引き上げるときにかかる天面３ａへの押し付け力を小さくすることができる。
【００２１】
上述のように第一実施例による蓋固定リングの取外し冶具では、蓋固定リング４の裾部下端面４ｂに爪部１２を係止させた状態で、容器蓋３の天面３ａを支点にして、取手部１３を引き上げることで、爪部１２とともに裾部４ａが持ち上げられ、容器蓋３の周囲に沿って引き剥がすようにして蓋固定リング４を容器蓋３から取り外すことができる。しかも、容器蓋３の周囲の容器部分を支点とし、てこの作用により開蓋する場合と比べて、爪部１２で無理にこじ開けることがないことから、容器蓋３の変形を防ぐことができる。
【００２２】
次に、本発明の第二実施例について、添付図面に基づいて説明するが、上述の第一実施例と同一又は同様な部材、部分には同一の符号を用いて説明を省略し、第一実施例と異なる構成について説明する。
図６は本発明の第二実施例による取外し冶具の平面図、図７は同じく取外し冶具の側面図である。
図６及び図７に示すように、本第二実施例による取外し冶具５における冶具本体５０は、平面視で略Ｄ型状に形成された半円リング部５０Ａと、この半円リング部５０Ａの円弧部５０ａの外周部に一体に設けられた取手部５３とからなる。そして、冶具本体５０は、側面視で支持部５１と取手部５３との間で略凹状に湾曲してなる湾曲部５０Ｂを形成させている。
【００２３】
半円リング部５０Ａは、冶具本体５０の一端に位置するとともに、冶具本体５０の取手部５３の軸方向に対して直交する方向に直線状に形成された支持部５１と、支持部５１に連設する円弧部５０ａに設けられるとともに、冶具本体５０の湾曲部５０Ｂの底部に位置する爪部５２とを有している。そして、支持部５１と爪部５２とは、連結部５４、５４を介して接続されて一体に形成されている。すなわち、連結部５４、５４は、支持部５１の両端５１ｂ、５１ｂ（図６参照）から容器蓋３の周壁に沿いながら延びて爪部５２に連設している。
【００２４】
支持部５１は、容器蓋３の天面３ａの上端蓋縁を跨ぐように配置されている。そして、支持部５１における容器蓋３の天面３ａとの当接部５１ａは、丸みをもって形成されている。
爪部５２は、平面視で容器蓋３の外周面とほぼ同じ円弧面が形成され、その円弧内周部に曲刃面５２ａが形成され、凹陥部２１の形状に沿うように先端側（支持部５１側）に向けて湾曲した形状をなしている。つまり、爪部５２は、容器蓋３と凹陥部２１との間の凹陥部隙間Ｒに挿入可能な形状をなし、爪部５２が蓋固定リング４の裾部下端面４ａに係止するように構成されている。
【００２５】
第二実施例による取外し冶具５を用いて蓋固定リング４を取り外す方法について説明する。
図７に示すように、容器２の凹陥部２１と容器蓋３との間の凹陥部隙間Ｒに爪部５２を挿入し、爪部５２の曲刃面５２ａを蓋固定リング４の裾部下端面４ｂに係止させるとともに、支持部５１の当接部５１ａを容器蓋３の天面３ａに載せて当接させる。そして、支持部５１を支点にして取手部５３を上方（矢印Ｆ方向）に引き上げると、爪部１２も上方に移動することから、裾部４ａの一部が爪部５２とともに持ち上げられ、第一実施例と同様に蓋固定リング４を容器蓋３から引き剥がすようにして取り外すことができる。なお、支持部５１の当接部５１ａが丸みを付けた形状となっているので、容器蓋３の天面３ａの変形を抑制することができる。
【００２６】
本第二実施例では、上述したように冶具本体５０における支持部５１と取手部５３との間で湾曲部５０Ｂを形成させ、この湾曲部５０Ｂに爪部５２を設けた構成としたことから、この爪部５２を凹陥部２１の凹陥部隙間Ｒに挿入させて蓋固定リング４の裾部下端面４ｂに係止させることができる。そのため、第一実施例と同様の効果が得られ、蓋固定リング４のみを取り外すことができる。
【００２７】
以上、本発明による蓋固定リングの取外し冶具の第一実施例および第二実施例について説明したが、本発明は上記の第一及び第二実施例に限定されるものではなく、その趣旨を逸脱しない範囲で適宜変更可能である。
例えば、容器２、容器蓋３、蓋固定リング４の形状等の構成は、第一及び第二実施例に限定されることはない。例えば蓋固定リング４は、上面にブリッジ付きの蓋固定リングであってもかまわない。
また、第一実施例では凸状体をなす支持部１１としているが、このような形状に限定されることはなく、例えば冶具本体１０の先端１０ａを容器蓋３の天面３ａに直接当接させて支持部としてもよく、また第二実施例のような直線状をなす支持部を冶具本体１０の先端１０ａに設けるようにしてもかまわない。
さらに、第一実施例では支持部１１はゴムなどの弾性を有する材料としているが、弾性を有する材料でない支持部であってもよい。
さらにまた、容器２は、１８リットル缶に限らず、醤油缶、油缶、オイル缶（ペール缶）などの容器も、本取外し冶具１、５の適用対象とされる。
【図面の簡単な説明】
【００２８】
【図１】本発明の第一実施例による取外し冶具の全体を示す側面図である。
【図２】取外し冶具の全体を示す平面図である。
【図３】爪部を示す図であって、（ａ）はその斜視図、（ｂ）はその平面図、（ｃ）はその側面図である。
【図４】図１に示す取外し冶具の爪部の拡大図である。
【図５】取外し冶具を使用して蓋固定リングを取り外す状態を示した図である。  である。
【図６】本発明の第二実施例による取外し冶具の平面図である。
【図７】取外し冶具の側面図である。
【符号の説明】
【００２９】
１、５  取外し冶具
２  容器
３  容器蓋
３ａ  天面
４  蓋固定リング
４ｂ  裾部下端面
１０、５０  冶具本体
１１、５１  支持部
１２、５２  爪部
１３、５３  取手部
１４  突出部材
２１  凹陥部
【図１】
2008150105.tif 000003
【図２】
2008150105.tif 000004
【図３】
2008150105.tif 000005
【図４】
2008150105.tif 000006
【図５】
2008150105.tif 000007
【図６】
2008150105.tif 000008
【図７】
2008150105.tif 000009